(57)【要約】複数の映像入力端子から入力される複数の映像信号が映像表示される視聴時間を計測する計測部と、計測部から読取る視聴時間が予め記憶された視聴可能時間を経過すると入力される映像信号の映像表示を停止する制御部とを有するテレビジョン受像機を提供する。これにより、入力される複数の映像信号の視聴制限を行う。【特許請求の範囲】
【請求項１】
複数の映像入力端子から映像信号が入力されるテレビジョン受像機であって、
前記映像信号が映像表示される視聴時間を計測する計測部と、
前記計測部から読取る前記視聴時間が予め記憶された視聴可能時間を経過すると前記映像信号の出力を停止する制御部とを備えた
テレビジョン受像機。
【請求項２】
前記計測部は、前記映像信号が映像表示される視聴時間を前記複数の映像入力端子からの映像信号毎に計測し、
前記制御部は、前記映像信号毎に設定される視聴可能時間と前記計測部が計測する前記視聴時間とを比較して、前記視聴時間が前記視聴可能時間を経過すると前記映像信号の出力を停止することを特徴とする
請求項１に記載のテレビジョン受像機。
【請求項３】
前記制御部は、前記計測部で計測する前記視聴時間が前記視聴可能時間を経過すると、前記映像信号の出力を停止すると共に、前記視聴可能時間経過の警告を表示するための警告信号を出力することを特徴とする
請求項１に記載のテレビジョン受像機。
【請求項４】
前記視聴可能時間を設定する設定部を備えたことを特徴とする
請求項１に記載のテレビジョン受像機。
【請求項５】
前記設定部は、予め定めたパスワードの入力で設定変更を許可する認証を行うことを特徴とする
請求項４に記載のテレビジョン受像機。
【請求項６】
前記複数の映像入力端子からの映像信号は、ＲＦ端子経由でチューナ部から出力される映像信号と、外部入力端子から入力される映像信号であることを特徴とする
請求項２に記載のテレビジョン受像機。
【請求項７】
前記複数の映像入力端子からの映像信号は、ＲＦ端子経由で地上波放送用チューナ部から出力される映像信号と、ＢＳ放送用チューナ部から出力される映像信号であることを特徴とする
請求項２に記載のテレビジョン受像機。
【請求項８】
前記複数の映像入力端子からの映像信号は、ＲＦ端子経由でデジタル放送用チューナ部から出力される映像信号と、アナログ放送用チューナ部から出力される映像信号であることを特徴とする
請求項２に記載のテレビジョン受像機。
【請求項９】
前記計測部は、複数の前記映像信号の全ての視聴時間を合計した総合視聴時間を計測し、
前記制御部は、前記計測部が計測する前記総合視聴時間と予め記憶された総合視聴可能時間と比較して、前記総合視聴時間が前記総合視聴可能時間を経過すると前記映像信号の出力を停止することを特徴とする
請求項１に記載のテレビジョン受像機。
【請求項１０】
前記計測部は、前記映像信号が連続に映像表示される連続視聴時間を計測すると共に、前記映像信号の映像表示が中断される視聴中断時間も計測し、
前記制御部は、前記計測部が計測した前記視聴中断時間が所定の時間を越えた場合は前記連続視聴時間をリセットすることを特徴とする
請求項１に記載のテレビジョン受像機。
【発明の詳細な説明】
【技術分野】
【０００１】  本発明はチューナからのテレビ放送の視聴に加えて、ゲーム機器やビデオレコーダ等の外部機器を接続することができるテレビジョン受像機に関し、チューナや外部入力端子から入力される映像の視聴時間を制限する機能を有するテレビジョン受像機に関する。
【背景技術】
【０００２】  テレビジョン受像機が映像入力端子から入力する映像と音声の映像信号は大きく２種類ある。１つはテレビ放送やケーブル放送からの放送信号をＲＦ端子から入力して内蔵チューナが出力する映像信号であり、もう１つはゲームやビデオ等の外部機器からの映像と音声を外部入力端子から入力する映像信号である。【０００３】  従来のテレビジョン受像機は、子供達がゲーム機器で遊ぶときテレビの長時間視聴による視力低下の可能性を抑制するために、ゲーム機器が接続された外部入力端子から入力する映像の視聴時間を制御している。この技術内容は、特開平８−１５４２１９号公報に開示されている。また、ゲーム入力の視聴時間を制御したテレビジョン受像機及びゲーム機器及び記録媒体については、特開２０００−５４４８号公報に開示されている。【０００４】  図１１は従来のテレビジョン受像機を示すものである。図１１において、ゲーム機器である外部機器１２１を外部入力端子９１８に接続したテレビジョン受像機９１０は、設定部９１１で時刻、１つの外部機器の視聴可能時間、暗証番号を設定し、記憶部９１２で時刻、１つの外部機器の視聴可能時間、暗証番号を記憶している。外部機器の使用が開始されてから計測部９１３で視聴時間を計測し、視聴可能時間を経過した場合に制御部９１４が表示部９１５を使用した視聴者への警告と、映像出力を停止する視聴制限を行っていた。【０００５】  しかしながら、このような従来の構成では、１つの外部機器であるゲーム機器のみの視聴制限しか行っておらず、現在のように多数の外部機器を外部入力端子に接続したテレビジョン受像機を使用する場合、例えば、ゲーム機器、ビデオレコーダ及びＤＶＤレコーダが接続された場合、ゲーム機器の視聴時間制御は行われるが、ゲーム機以外の外部機器であるビデオレコーダやＤＶＤレコーダ、或いはチューナは視聴時間制御が行われておらず、テレビの長時間視聴を可能としていた。このため、ゲーム機器以外で子供達のテレビの視聴時間を低減することが出来ないという課題を有していた。
【発明の開示】
【０００６】  本発明は、従来の課題を解決するもので、複数の外部機器および内蔵チューナからの映像の視聴制限を行うことができるテレビジョン受像機を提供する。
【０００７】  本発明のテレビジョン受像機は、映像信号を入力する複数の映像入力端子と、複数の映像入力端子から入力される映像信号が映像表示される視聴時間を計測する計測部と、計測部から読取る視聴時間が予め記憶された視聴可能時間を経過すると映像入力端子から入力される映像信号の出力を停止する制御部とを有する。
【０００８】  本構成によって、テレビジョン受像機に接続された複数の外部機器及び内蔵チューナからの映像の各視聴時間が視聴可能時間を経過したとき各映像を停止することにより、映像毎に視聴時間を制御することが可能となる。
【０００９】  また、本発明のテレビジョン受像機は、予め定めたパスワードの入力で設定変更を許可する認証を行い、視聴可能時間を設定する設定部を有したものである。
【００１０】  本発明のテレビジョン受像機によれば、ゲーム機器、ビデオレコーダ及びＤＶＤレコーダなど複数の外部機器を外部入力端子に接続する場合において、１つの外部機器であるゲーム機器のみの視聴時間を制御するだけでなく、ビデオレコーダやＤＶＤレコーダ、及び、チューナなどからの複数の映像の視聴時間制御を行うことで、ゲーム機器以外の外部機器のテレビ視聴時間も制御することができる。これにより、子供達のテレビの視聴時間を低減することができる。
【図面の簡単な説明】
【００１１】
【図１】図１は本発明の実施の形態１に係るテレビジョン受像機の構成を示すブロック図である。
【図２】図２は本発明の実施の形態１に係るテレビジョン受像機の視聴制限設定のフローチャートである。
【図３】図３は本発明の実施の形態１に係るテレビジョン受像機の視聴時のフローチャートである。
【図４】図４は本発明の実施の形態１に係るテレビジョン受像機の構成を示す別のブロック図である。
【図５】図５は本発明の実施の形態２に係るテレビジョン受像機の構成を示すブロック図である。
【図６】図６は本発明の実施の形態２に係るテレビジョン受像機の視聴制限設定のフローチャートである。
【図７】図７は本発明の実施の形態２に係るテレビジョン受像機の視聴時のフローチャートである。
【図８】図８は本発明の実施の形態３に係るテレビジョン受像機の構成を示すブロック図である。
【図９】図９は本発明の実施の形態３に係るテレビジョン受像機の視聴制限設定のフローチャートである。
【図１０】図１０は本発明の実施の形態３に係るテレビジョン受像機の視聴時のフローチャートである。
【図１１】図１１は従来技術のテレビジョン受像機の構成を示すブロック図である。
【符号の説明】
【００１２】１１０ａ，１１０ｂ，１１０ｃ  テレビジョン受像機
１１１ａ，１１１ｂ，１１１ｃ  設定部
１１２ａ，１１２ｂ，１１２ｃ  記憶部
１１３ａ，１１３ｂ，１１３ｃ  計測部
１１４ａ，１１４ｂ，１１４ｃ  制御部
１１５  表示部
１１６  チューナ部
１１７，１１８，１１９  外部入力端子
１２０，１３０，１３１  ＲＦ端子
１２１  外部機器（ゲーム）
１２２  外部機器（ビデオ）
１２３  外部機器（ＤＶＤ）
１２４  アンテナ
１３２  地上放送用アンテナ
１３３  ＢＳ放送用アンテナ
１４１  地上波アナログチューナ部
１４２  地上波デジタルチューナ部
１４３  ＢＳアナログチューナ部
１４４  ＢＳデジタルチューナ部
【発明を実施するための最良の形態】
【００１３】  以下、本発明を実施するための最良の形態について、図面を参照しながら説明する。【００１４】  （実施の形態１）
図１は、本発明の実施の形態１におけるテレビジョン受像機のブロック図である。図１において、テレビジョン受像機１１０ａは、設定部１１１ａ、記憶部１１２ａ、計測部１１３ａ、制御部１１４ａ、表示部１１５、チューナ部１１６、外部入力端子１１７、１１８、１１９及びＲＦ端子１２０から構成されている。外部入力端子１１７、１１８、１１９にそれぞれ外部機器１２１、１２２、１２３を接続している。また、ＲＦ端子１２０にアンテナ１２４を接続している。【００１５】  チューナ部１１６はテレビジョン受像機１１０ａに内蔵されており、テレビ放送やケーブル放送からの放送信号をアンテナからＲＦ信号として受け、制御部１１４ａに映像信号を出力している。【００１６】  外部機器１２１、１２２、１２３は各ゲーム機器、ビデオレコーダ、ＤＶＤレコーダで、映像を出力する外部機器である。これら外部機器はテレビジョン受像機１１０ａの外部入力端子１１７、１１８、１１９に接続され、映像信号を制御部１１４ａに出力する。【００１７】  図１において、設定部１１１ａはキー入力やリモコンキー入力により構成される。視聴者からのキー入力やリモコンキー入力による設定内容が入力される。これにより、各種時刻の設定、外部入力端子１１７，１１８，１１９及びＲＦ端子１２０から入力される映像の視聴時間を計測する期間（以下、「視聴時間計測期間」という。）の設定、複数の外部機器１２１、１２２、１２３及び内蔵チューナ部１１６からの映像の視聴可能時間の設定、視聴可能時間経過後の警告表示の設定がなされる。また、前述の設定の変更を可能にする暗証番号を設定し、記憶部１１２ａに記憶させることも可能である。【００１８】  暗証番号は、各種時刻の設定や視聴可能時間の設定、変更及び解除を行う時に必要なものである。入力された暗証番号が記憶部１１２ａに記憶されている値と一致しない限り、それらの設定の変更及び解除はできない。これにより、子供等の視聴制限対象者は勝手に設定の変更及び解除をすることができない。暗証番号を設定した視聴制限設定者だけが設定の変更や解除をすることができる。【００１９】  記憶部１１２ａは不揮発性メモリにより構成される。設定部１１１ａで設定された視聴時間計測期間、テレビジョン受像機１１０ａに入力される映像毎の視聴可能時間、視聴可能時間経過後の警告表示及び暗証番号などが、記憶部１１２ａに記憶される。更に、記憶部１１２ａで視聴可能時間を記憶する際、計測部１１３ａで計測する視聴時間と比較ができるようにタイマ単位、例えば、秒単位に視聴可能時間のデータが変換される。【００２０】  計測部１１３ａは制御マイコンにより構成される。設定部１１１ａにおいて設定された時刻を基にして常に現在の時刻の計測がなされる。また、複数の外部機器１２１、１２２、１２３及びテレビジョン受像機１１０ａ内蔵のチューナ部１１６から映像信号が入力されて表示部１１５に映像を表示した視聴時間の計測がなされる。【００２１】  制御部１１４ａは制御マイコンにより構成される。複数の外部機器１２１、１２２、１２３及び内蔵チューナ部１１６から出力される映像信号と音声信号が制御部１１４ａに入力される。制御部１１４ａは、設定部１１１ａに直接入力された視���設定内容や記憶部１１２ａに予め記憶されている設定内容に基づいて、各映像の視聴時間を計測部１１３ａに計測させたり、映像出力の開始や停止を行うための制御をしたりする。【００２２】  また、制御部１１４ａは、設定部１１１ａで選択された映像を表示部１１５に出力する制御を開始し、計測部１１３ａに視聴時間の計測開始の指示信号を出す。そして、計測部１１３ａが計測する映像入力端子の映像信号の視聴時間を読取り、その視聴時間を入力される映像入力端子の映像信号毎に記憶部１１２ａに記憶させる。さらに、制御部１１４ａは計測部１１３ａから読取る視聴時間と記憶部１１２ａに記憶している視聴可能時間とを常時比較して、視聴時間が視聴可能時間を経過しているか否かを確認する。視聴時間が視聴可能時間を経過するまでは選択された映像を表示部１１５に出力する。【００２３】  その後、視聴時間計測期間中に視聴時間が視聴可能時間を経過した場合は、制御部１１４ａは記憶部１１３ａに記憶されている視聴可能時間経過後の警告内容を表示部１１５に表示し、表示部１１５への映像信号を停止して視聴制限を行う。【００２４】  表示部１１５には、外部機器１２１、１２２、１２３或いはチューナ部１１６からの映像信号が制御部１１４ａ経由で入力される。そして、表示部１１５はこれら映像信号の映像を表示したり、視聴時間経過時に制御部１１４ａから出力される警告表示を表示したりする。【００２５】  図２は、本発明の実施の形態１におけるテレビジョン受像機の視聴制限設定のフローチャートである。図２を用いて実施の形態１の視聴制限設定を説明する。【００２６】  例えば、図１のように外部機器１２１、１２２、１２３としてゲーム機器、ビデオレコーダ、ＤＶＤレコーダが本発明のテレビジョン受像機に接続され、視聴制限設定者が視聴制限設定を開始すると想定する（Ｓ２００）。まず「暗証番号」入力を行い（Ｓ２１０）、暗証番号の認証が正しければ視聴制限設定を行うことができる（Ｓ２２０）。もし視聴制限設定者以外の人が視聴制限設定を行おうとして、間違った暗証番号を入力すると、暗証番号の認証（Ｓ２２０）から視聴制限設定終了（Ｓ２７０）に移行することになる。【００２７】  次に、「視聴時間計測期間」の設定を０時から２４時迄の２４時間とする（Ｓ２３０）。外部機器１２１、１２２、１２３及びチューナ部１１６の「視聴可能時間」の設定においては、ゲーム機器である外部機器１２１を１時間とし（Ｓ２４１）、ビデオレコーダである外部機器１２２を１時間とし（Ｓ２４２）、ＤＶＤレコーダである外部機器１２３を２時間とし（Ｓ２４３）、チューナ部１１６を２時間とし（Ｓ２４４）、入力される映像全ての視聴可能時間を設定する。そして、視聴可能時間経過時の「警告表示」の設定で警告表示内容を「視聴可能時間が過ぎました。引続き視聴する場合は暗証番号を入力して下さい。」とし、警告表示から映像出力停止までの時間を５分と設定する（Ｓ２６１）。これらを設定することで、視聴制限設定終了となる（Ｓ２７０）。【００２８】  図３は、本発明の実施の形態１におけるテレビジョン受像機の視聴時のフローチャートである。図３を用いて実施の形態１の視聴時の様子を説明する。【００２９】  例えば、上記した図２のフローチャートの視聴制限設定がなされているとき、子供がゲーム機器である外部機器１２１を視聴開始すると想定する（Ｓ３００）。まず映像入力端子から入力される映像信号の選択において、ゲーム機器である外部機器１２１を選択する（Ｓ３１０）。すると、外部機器１２１の「視聴可能時間」の表示として、「外部機器１２１の視聴可能時間は１時間です」と表示部１１５に表示され（Ｓ３２１）、外部機器１２１の映像出力開始と視聴時間の計測開始が行われる（Ｓ３３１）。そして、制御部１１４ａは計測部１１３ａが計測する視聴時間と記憶部１１２ａに記憶されている視聴可能時間との比較を、視聴時間が視聴可能時間を経過するまで行う（Ｓ３４１）。【００３０】  視聴時間計測期間内で外部機器１２１の視聴時間が視聴可能時間の１時間を経過すると、制御部１１４ａが視聴可能時間の経過の警告表示を行い（Ｓ３５１）、暗証番号の認証を行う（Ｓ３６０）。ここで、暗証番号が入力されない、或いは、暗証番号が正しくない場合、警告表示開始から５分間経過すると制御部１１４ａによる視聴制限映像出力停止を行い（Ｓ３７１）、入力される映像信号の変更による視聴の継続選択（Ｓ３８０）のステップに移る。視聴制限設定者が正しい暗証番号を入力した場合、視聴時間リセットの確認がなされる（Ｓ３７２）。そして、視聴時間をリセットした場合は、選択した映像の出力開始（Ｓ３３１）に戻る。視聴時間をリセットしない場合は、映像入力端子から入力される映像信号の変更による視聴の継続選択（Ｓ３８０）のステップに移る。【００３１】  入力される映像信号の変更による視聴の継続選択（Ｓ３８０）のステップに移った場合、外部機器１２１からの映像出力を制御部１１４ａが停止させているので、視聴時間計測期間（２４時間）が経過するまで外部機器１２１の視聴はできなくなる。よって、映像信号の選択（Ｓ３１０）のステップに戻るか、あるいは、視聴終了（Ｓ３９０）のステップに移ることを選択することになる。【００３２】  入力される映像信号の選択に戻った場合は、テレビジョン受像機に接続された他の映像信号、例えば、ビデオレコーダである外部機器１２２、ＤＶＤレコーダである外部機器１２３及び内蔵のチューナ１１６のいずれかからテレビジョン受像機１１０ａに入力される映像信号を選択する（Ｓ３１０）。そして、外部機器１２１のときと同様に、視聴時間が視聴可能時間を経過したとき、その選択された映像信号は制御部１１４ａにより停止され、視聴ができなくなる。【００３３】  全ての映像信号の視聴時間が視聴可能時間を経過すると、制御部１１４ａが全ての映像信号を停止し、視聴終了となる（Ｓ３９０）。視聴時間計測期間の終了時間である２４時になると、入力される映像信号毎の視聴時間はリセットされ、再度視聴開始が行なえるようになる。【００３４】  このような構成によれば、テレビジョン受像機に複数の外部機器が接続された場合において、１つの外部機器の視聴時間を制御するだけでなく、複数の映像入力端子から入力される映像信号毎に複数の視聴時間を制御し、子供達のテレビの視聴時間を低減することができる。【００３５】  なお、本発明の実施形態において、制御部１１４と記憶部１１２を別構成要素にしたが、記憶部を制御部の一部としても良い。【００３６】  なお、本発明の実施の形態１において、外部機器１２１、１２２、１２３をゲーム機器、ビデオレコーダ、ＤＶＤレコーダとしたが、全てゲーム機器としても良い。すなわち、本発明のテレビジョン受像機に接続される外部機器は、映像信号を出力する機器であれば良い。【００３７】  また、本発明の実施の形態１において、映像信号が入力されて表示部に映像表示する視聴時間としたが、音声信号が入力される視聴時間としても良い。その場合、入力設定された音声信号の視聴時間を計測部１１３ａが計測し、視聴時間が視聴可能時間を経過すると制御部１１４ａが表示部への映像信号の出力を停止させる。【００３８】  さらに、本発明の実施の形態１において、３つの外部機器と１つの内蔵チューナから出力される映像の視聴時間制御を行ったが、外部機器を１つ、２つ、或いは、４つ以上としても良い。また、内蔵チューナは図４のように地上放送用アンテナ１３２に接続された地上波アナログチューナ部１４１と地上波デジタルチューナ部１４２、ＢＳ放送用アンテナ１３３に接続されたＢＳアナログチューナ部１４３とＢＳデジタルチューナ部１４４など、複数のチューナとしても良い。つまり、１つ以上の外部機器と１つ以上の内蔵チューナからなる複数の映像機器から出力される映像の視聴時間制御としても良い。この場合、映像入力端子に接続された外部入力機器の映像信号を外部入力機器毎に視聴時間制御を行うことはもちろん、内蔵チューナが出力する映像信号にもチューナ毎に視聴時間制御を行うことができる。【００３９】  なお、本発明の実施の形態１において、外部機器と内蔵チューナからなる複数機器からテレビジョン受像機１１０ａに入力される映像の視聴時間制御としたが、２つ以上の外部機器による視聴時間制御、或いは、２つ以上の内蔵チューナによる視聴時間制御としても良い。【００４０】  また、本発明の実施の形態１において、視聴可能時間は設定部１１１ａで入力設定されるとしたが、最初から記憶部に入力設定されていても良い。例えば、ゲーム機器、ビデオレコーダの外部機器からの映像の視聴可能時間を１時間、ＤＶＤレコーダの外部機器からの映像の視聴可能時間を２時間、内蔵のチューナからの映像の視聴可能時間を４時間と各機器毎に初期設定しておく。【００４１】  さらに、本発明の実施の形態１において、暗証番号の認証により視聴制限設定の変更を可能にするとしたが、複数のリモコンキーの同時押しによるパスワード信号、パスワードリモコンによる送信信号、パスワード鍵による施錠の開閉などのパスワードの入力による認証でも良い。【００４２】  なお、本発明の実施の形態１において、警告表示をテレビジョン受像機の映像画面を兼用することとしたが、新たに警告表示を設けるとしても良い。【００４３】  また、本発明の実施の形態１において、視聴時間が視聴可能時間を経過した後の制限として、映像出力を停止するとしたが、記憶部に予め記憶されたリラクゼーション映像と音楽を出力するようにしても良い。この場合、テレビ視聴を中止にして単に目を休めるだけでなく、テレビ画面を凝視していた目を徐々に和らげると共に、音楽により気持ちもリラックスさせ��効果がある。【００４４】  （実施の形態２）
実施の形態２では、テレビジョン受像機に多くの映像信号が外部入力端子に接続された場合、全ての映像の視聴時間を合計した総合視聴時間を制御することができるテレビジョン受像機の実施の形態について説明する。【００４５】  本発明の実施の形態２におけるテレビジョン受像機のブロック図を図５に示す。図５において、テレビジョン受像機１１０ｂは、設定部１１１ｂ、記憶部１１２ｂ、計測部１１３ｂ、制御部１１４ｂ、表示部１１５、チューナ部１１６、外部入力端子１１７、１１８、１１９及びＲＦ端子１２０から構成されている。外部入力端子１１７、１１８、１１９にそれぞれ外部機器１２１、１２２、１２３を接続している。また、ＲＦ端子１２０にアンテナ１２４を接続している。【００４６】  図５のテレビジョン受像機１１０ｂにおいて、図１のテレビジョン受像機１１０ａの構成要素に対して機能が追加された構成要素は符号の数字を同じとし、数字の後のアルファベットをａからｂに変更している。テレビジョン受像機１１０ｂの構成要素に追加された機能について説明する。追加機能以外は実施の形態１の構成要素と同じであるので、説明は省略する。【００４７】  図５において、設定部１１１ｂには、総合視聴可能時間の設定入力のステップが付加されている。記憶部１１２ｂには、設定部１１１ｂで入力される総合視聴可能時間が記憶される。計測部１１３ｂは、入力される全ての映像の総合視聴時間を計測する。制御部１１４ｂは記憶部１１２ｂに記憶されている総合視聴可能時間と計測部１１３ｂで計測される総合視聴時間とを比較し、総合視聴時間が総合視聴可能時間を経過したとき、表示部１１５に総合視聴可能時間の経過の警告表示を行う。【００４８】  図６は、本発明の実施の形態２におけるテレビジョン受像機の視聴制限設定のフローチャートである。図６を用いて実施の形態２の視聴制限設定を説明する。【００４９】  例えば、図５のように外部機器１２１、１２２、１２３としてゲーム機器、ビデオレコーダ、ＤＶＤレコーダが本発明のテレビジョン受像機に接続されて、視聴制限設定者が視聴制限設定を開始すると想定する（Ｓ２００）。まず「暗証番号」入力を行い（Ｓ２１０）、暗証番号の認証が正しければ視聴制限設定を行うことができる（Ｓ２２０）。もし視聴制限設定者以外の人が視聴制限設定を行おうとして、間違った暗証番号を入力すると、暗証番号の認証（Ｓ２２０）から視聴制限設定終了（Ｓ２７０）に移行することになる。【００５０】  次に、「視聴時間計測期間」の設定を０時から２４時迄の２４時間とする（Ｓ２３０）。外部機器１２１、１２２、１２３及びチューナ部１１６の「視聴可能時間」の設定においては、ゲーム機器である外部機器１２１を１時間とし（Ｓ２４１）、ビデオレコーダである外部機器１２２を１時間とし（Ｓ２４２）、ＤＶＤレコーダである外部機器１２３を２時間とし（Ｓ２４３）、チューナ部１１６を２時間とし（Ｓ２４４）、映像入力端子から入力される映像全ての視聴可能時間を設定する。また、外部機器１２１、１２２、１２３とチューナ部１１６からテレビジョン受像機１１０ｂへ入力される全ての映像に対して、総合視聴可能時間を４時間と設定する（Ｓ２５２）。そして、視聴可能時間、及び総合視聴時間経過時の「警告表示」の設定で警告表示内容を「視聴可能時間が過ぎました。引続き視聴する場合は暗証番号を入力して下さい。」、及び「総合視聴可能時間が過ぎました。引続き視聴する場合は暗証番号を入力して下さい。」とし、警告表示から映像出力停止までの時間を５分と設定する（Ｓ２６２）。これらを設定することで、視聴制限設定終了となる（Ｓ２７０）。【００５１】  図７は、本発明の実施の形態２におけるテレビジョン受像機の視聴時のフローチャートである。図７を用いて実施の形態２の視聴時の様子を説明する。【００５２】  例えば、上記した図６のフローチャートの視聴制限設定がなされているとき、子供がゲーム機器である外部機器１２１を視聴開始すると想定する（Ｓ３００）。まず映像入力端子から入力される映像信号の選択において、ゲーム機器である外部機器１２１を選択する（Ｓ３１０）。すると、外部機器１２１の「視聴可能時間」、「総合視聴可能時間」の表示として「外部機器１２１の視聴可能時間は１時間です」、「総合視聴可能時間は４時間です」と表示部１１５に表示され（Ｓ３２２）、外部機器１２１の映像出力開始と視聴時間及び総合視聴時間の計測開始が行われる（Ｓ３３２）。そして、制御部１１４ｂは計測部１１３ｂが計測する視聴時間及び総合視聴時間と記憶部１１２ｂに記憶されている視聴可能時間及び総合視聴可能時間との比較を、視聴時間が視聴可能時間を経過する（Ｓ３４１）、或いは、総合視聴時間が総合視聴可能時間を経過するまで行う（Ｓ３４２）。【００５３】  視聴時間計測期間内で外部機器１２１の視聴時間が視聴可能時間の１時間を経過すると、制御部１１４ｂが視聴可能時間の経過の警告表示を行い（Ｓ３５１）、暗証番号の認証を行う（Ｓ３６０）。【００５４】  ここで、暗証番号が入力されない、或いは、暗証番号が正しくない場合、警告表示開始から５分間経過すると制御部１１４ｂによる視聴制限映像出力停止を行い（Ｓ３７１）、入力される映像信号の変更による視聴の継続選択（Ｓ３８０）のステップに移る。視聴制限設定者が正しい暗証番号を入力した場合、視聴時間リセットの確認がなされる（Ｓ３７２）。そして、視聴時間をリセットした場合は、選択した映像信号の出力開始（Ｓ３３２）に戻る。視聴時間をリセットしない場合は、外部入力端子から入力される映像信号の変更による視聴の継続選択（Ｓ３８０）のステップに移る。【００５５】  入力される映像信号の変更による視聴の継続選択（Ｓ３８０）のステップに移った場合、外部機器１２１からの映像出力を制御部１１４ｂが停止させているので、視聴時間計測期間（２４時間）が経過するまで外部機器１２１の視聴はできなくなる。よって、入力される映像信号の選択（Ｓ３１０）のステップに戻るか、あるいは、視聴終了（Ｓ３９０）のステップに移ることを選択することになる。【００５６】  入力される映像信号の選択に戻った場合は、テレビジョン受像機に接続された他の映像信号、例えば、ビデオレコーダである外部機器１２２、ＤＶＤレコーダである外部機器１２３及び内蔵のチューナ１１６のいずれかからテレビジョン受像機１１０ｂに入力される映像信号を選択する（Ｓ３１０）。そして、外部機器１２１のときと同様に、視聴時間が視聴可能時間を経過したとき、その選択された映像信号は制御部１１４ｂにより停止され、視聴ができなくなる。【００５７】  さらに、複数の入力される映像を視聴して、総合視聴時間が総合視聴可能時間を経過すると（Ｓ３４２）、総合視聴可能時間の経過の警告表示で「総合視聴可能時間が過ぎました。引続き視聴する場合は暗証番号を入力して下さい。」と表示を行う（Ｓ３５２）。この場合、入力される全ての映像出力を制御部１１４ｂが停止させて（Ｓ３７２）、視聴時間計測期間（２４時間）が経過するまで入力される全ての映像の視聴はできなくなる（Ｓ３９０）。【００５８】  このような構成によれば、１つの外部機器の視聴時間を制御するだけでなく、映像入力端子から入力される映像信号毎に視聴時間を制御し、更に、全ての入力される映像信号の総合視聴時間を制御し、子供達のテレビの視聴時間を低減することができる。【００５９】  なお、本発明の実施の形態２において、総合視聴時間を計測部１１３ｂが計測するとしたが、計測部が計測した入力される各映像信号の視聴時間を制御部１１４ｂが積算するとしても良い。その場合、計測部１１３ｂは入力される映像信号毎に視聴時間を計測し、制御部１１４ｂが計測部１１３ｂから視聴時間を読取り、記憶部１１２ｂに入力される映像信号毎に視聴時間を記憶させる。そして、制御部１１４ｂは記憶部に記憶された入力される映像信号毎の視聴時間を総合視聴時間に積算し、総合視聴時間が記憶部１１２ｂに予め記憶されている総合視聴可能時間を経過しているかを確認する。そして、総合視聴時間が総合視聴可能時間を経過したとき、映像入力端子から入力される全ての映像信号を停止させる。【００６０】  （実施の形態３）
子供達がテレビの視聴で視力を低下する理由の一つとして、連続してテレビを見続けることがあげられる。そこで、実施の形態３では、連続してテレビを視聴し続ける連続視聴時間を制御することができるテレビジョン受像機の実施の形態について説明する。【００６１】  本発明の実施の形態３におけるテレビジョン受像機のブロック図を図８に示す。図８において、テレビジョン受像機１１０ｃは、設定部１１１ｃ、記憶部１１２ｃ、計測部１１３ｃ、制御部１１４ｃ、表示部１１５、チューナ部１１６、外部入力端子１１７、１１８、１１９及びＲＦ端子１２０から構成される。外部入力端子１１７、１１８、１１９に外部機器１２１、１２２、１２３を接続している。また、ＲＦ端子１２０にアンテナ１２４を接続している。【００６２】  図８のテレビジョン受像機１１０ｃにおいて、図１のテレビジョン受像機１１０ａの構成要素に対して機能が追加された構成要素は符号の数字を同じとし、数字の後のアルファベットをａからｃに変更している。テレビジョン受像機１１０ｃの構成要素に追加された機能について説明する。追加機能以外は実施の形態１の構成要素と同じであるため説明は省略する。【００６３】  図８において、設定部１１１ｃは、入力された映像を連続的に視聴できる連続視聴可能時間と入力された映像信号を中断する視聴中断時間の設定入力のステップが付加されている。記憶部１１２ｃには、設定部１１１ｃで設定される連続視聴可能時間と視聴中断時間が記憶される。計測部１１３ｃは、入力される全ての映像の連続視聴時間と視聴中断時間を計測する。制御部１１４ｃは記憶部１１２ｃに記憶されている連続視聴可能時間と計測部１１３ｃで計測される連続視聴時間とを比較し、連続視聴時間が連続視聴可能時間を経過したとき、表示部１１５に連続視聴可能時間の経過の警告表示を行う。そして、視聴中断した視聴制御から視聴中断時間経過後に視聴再開する。【００６４】  図９は、本発明の実施の形態３におけるテレビジョン受像機の視聴制限設定のフローチャートである。図９を用いて実施の形態３の視聴制限設定を説明する。【００６５】  例えば、図８のように外部機器１２１、１２２、１２３としてゲーム機器、ビデオレコーダ、ＤＶＤレコーダが本発明のテレビジョン受像機に接続されて、視聴制限設定者が視聴制限設定開始すると想定する（Ｓ２００）。まず「暗証番号」入力を行い（Ｓ２１０）、暗証番号の認証が正しければ視聴制限設定を行うことができる（Ｓ２２０）。もし視聴制限設定者以外の人が視聴制限設定を行おうとして、間違った暗証番号を入力すると、暗証番号の認証（Ｓ２２０）から視聴制限設定終了（Ｓ２７０）に移行することになる。【００６６】  次に、「視聴時間計測期間」の設定を０時から２４時迄の２４時間とし（Ｓ２３０）、外部機器１２１、１２２、１２３及びチューナ部１１６の「視聴可能時間」の設定においては、ゲーム機器である外部機器１２１を１時間とし（Ｓ２４１）、ビデオレコーダである外部機器１２２を１時間とし（Ｓ２４２）、ＤＶＤレコーダである外部機器１２３を２時間とし（Ｓ２４３）、チューナ部１１６を２時間とし（Ｓ２４４）、入力される映像全ての視聴可能時間を設定する。また、外部機器１２１、１２２、１２３とチューナ部１１６から入力される全ての映像に対して、連続して視聴できる連続視聴可能時間を３０分と設定し、連続視聴時間が経過後の視聴中断時間を１０分と設定する（Ｓ２５３）。そして、視聴可能時間、及び連続視聴可能時間経過時の「警告表示」の設定で警告表示内容を「視聴可能時間が過ぎました。引続き視聴する場合は暗証番号を入力して下さい。」、及び「連続視聴可能時間が過ぎました。引続き視聴する場合は暗証番号を入力して下さい。」とし、警告表示から映像出力停止までの時間を５分と設定する（Ｓ２６３）。これらを設定することで、視聴制限設定終了となる（Ｓ２７０）。【００６７】  本発明の実施の形態３におけるテレビジョン受像機の視聴時の様子は、本発明の実施の形態１のフローチャートである図３の選択した映像信号の出力開始ステップ（Ｓ３３１）と視聴可能時間との比較ステップ（Ｓ３４１）との間に連続視聴時間の制御が加わったものなので、実施の形態１と同じ部分については説明を省略する。実施の形態３におけるテレビジョン受像機の視聴時のフローチャートは、実施の形態１のフローチャートである図３に、連続視聴時間制御を示すフローチャートである図１０が加わったフローチャートになる。【００６８】  以下、図３と図１０を用いて実施の形態３の視聴時の様子を説明する。【００６９】  例えば、上記した図９のフローチャートの視聴制限設定がなされているとき、子供がゲーム機器である外部機器１２１を視聴開始すると想定する（Ｓ３００）。まず映像入力端子から入力される映像信号の選択において、ゲーム機器である外部機器１２１を選択する（Ｓ３１０）。すると、外部機器１２１の「視聴可能時間」、「連続視聴可能時間」の表示として「外部機器１２１の視聴可能時間は１時間です」、「連続視聴可能時間は３０分です」と表示部１１５に表示され（Ｓ３２１）、外部機器１２１の映像出力開始と視聴時間及び連続視聴時間の計測開始が行われる（図１０のＳ３３１）。そして、制御部１１４ｃは計測部１１３ｃが計測する連続視聴時間と記憶部１１２ｃに記憶されている連続視聴可能時間との比較を行う（Ｓ４１０）。連続視聴時間が連続視聴可能時間を経過していない場合は、さらに制御部１１４ｃは計測部１１３ｃが計測する視聴時間と記憶部１１２ｃに記憶されている視聴可能時間との比較を行う（Ｓ３４１）。そして、視聴時間が視聴可能時間を経過していないときは、連続視聴時間との比較ステップ（Ｓ４１０）に戻る。連続視聴時間が連続視聴可能時間を経過する、或いは、視聴時間が視聴可能時間を経過するまで視聴可能時間との比較（Ｓ４１０、Ｓ３４１）が繰り返される。【００７０】  連続視聴時間が連続視聴可能時間の３０分を経過すると、連続視聴可能時間との比較ステップ（Ｓ４１０）から連続視聴時間の制御に移行する。まず、制御部１１４ｃが連続視聴可能時間経過の警告表示を行い（Ｓ４２０）、暗証番号の認証を行う（Ｓ４３０）。ここで、暗証番号が入力されない、或いは、暗証番号が正しくない場合、警告表示開始から５分間経過すると制御部１１４ｃによる映像出力中断の開始を行う（Ｓ４５０）。視聴制限設定者が正しい暗証番号を入力した場合、連続視聴時間のリセットの確認が���される（Ｓ４４２）。そして、連続視聴時間をリセットした場合は、選択した映像の出力開始（Ｓ３３１）に戻る。連続視聴時間をリセットしない場合は、映像出力中断の開始ステップ（Ｓ４５０）に移行する。【００７１】  映像出力中断が開始されると（Ｓ４５０）、外部機器１２１からの映像出力を制御部１１４ｃが停止させているので、視聴中断時間の１０分が経過するまで外部機器１２１の視聴はできなくなる。視聴中断時間の１０分が経過すると視聴中断時間経過の表示がなされる（Ｓ４６０）。【００７２】  視聴中断時間経過の表示ステップ（Ｓ４６０）から選択した映像出力開始ステップ（Ｓ３３１）に戻った後は、連続視聴時間が連続視聴可能時間の３０分を経過した場合、連続視聴可能時間経過の警告表示（Ｓ４２０）から視聴中断時間経過の表示（Ｓ４６０）までのフローを繰り返す。【００７３】  外部機器１２１の視聴時間が視聴可能時間の１時間を経過した場合は、図３の視聴可能時間の経過の警告表示ステップ（Ｓ３５１）に移る。そして、制御部１１４ｃが視聴可能時間経過の警告表示を行い（Ｓ３５１）、暗証番号の認証を行う（Ｓ３６０）。【００７４】  ここで、暗証番号が入力されない、或いは、暗証番号が正しくない場合、制御部１１４ｃは映像出力を停止し、視聴制限を行い（Ｓ３７１）、入力される映像信号の変更による視聴の継続選択（Ｓ３８０）のステップに移る。視聴制限設定者が正しい暗証番号を入力した場合、総合視聴時間リセットの確認がなされる（Ｓ３７２）。そして、視聴時間をリセットした場合は、選択した映像の出力開始（Ｓ３３１）に戻る。視聴時間をリセットしない場合は、入力される映像信号の変更による視聴の継続選択（Ｓ３８０）のステップに移る。【００７５】  入力される映像信号の変更による視聴の継続選択（Ｓ３８０）のステップに移った場合、外部機器１２１からの映像出力を制御部１１４ｃが停止させているので、視聴時間計測期間（２４時間）が経過するまで外部機器１２１の視聴はできなくなる。よって、入力される映像信号の選択（Ｓ３１０）のステップに戻るか、あるいは、視聴終了（Ｓ３９０）に行くことを選択することになる。【００７６】  入力される映像信号の選択ステップ（Ｓ３１０）に戻った場合は、テレビジョン受像機に接続された他の映像信号、例えば、ビデオレコーダである外部機器１２２、ＤＶＤレコーダである外部機器１２３及び内蔵のチューナ１１６のいずれかから出力される映像信号を選択する（Ｓ３１０）。そして、外部機器１２１のときと同様に、視聴時間が視聴可能時間を経過したとき、或いは、連続視聴時間が連続視聴可能時間を経過したとき、その映像信号は制御部１１４ｃにより停止し、視聴ができなくなる。【００７７】  そして、全ての入力される映像信号の視聴時間が視聴可能時間を経過すると、制御部１１４ｃが全ての入力される映像信号を停止し、視聴終了となる（Ｓ３９０）。視聴時間計測期間の終了時間である２４時を経過すると、入力される映像信号毎の視聴時間はリセットされ、視聴開始を行うことが可能になる。【００７８】  このような構成によれば、外部機器の視聴時間を制御するだけでなく、継続的な連続視聴時間を制御し、子供達のテレビの連続視聴時間を低減することができる。【００７９】  なお、本発明の実施の形態３におけるテレビジョン受像機の視聴時のフローチャートは、実施の形態１のフローチャートである図３に連続視聴時間制御を示すフローチャートである図１０が加わったフローチャートであるが、本発明の実施の形態２のフローチャートである図７に連続視聴時間の制御である図１０を加えたものであるとしても良い。この場合、映像入力端子から入力される映像信号毎の視聴時間制御と、入力される全ての映像信号の総合視聴時間制御と、連続視聴時間制御の３種類の視聴時間の制御を行うこととなる。
【産業上の利用可能性】
【００８０】  本発明にかかるテレビジョン受像機は、ゲーム機器、ビデオレコーダ及びＤＶＤレコーダなど複数の外部機器を外部入力端子に接続する場合において、ゲーム機器の視聴時間を制御するだけでなく、ビデオレコーダやＤＶＤレコーダ、或いはチューナからの視聴時間制御も行う。よって、子供達が複数の映像の切替えによって引続きテレビを視聴することを抑制することができ、子供達のテレビの視聴時間を低減することが可能になるので、視聴時間を制限するテレビジョン受像機等において有用である。
【図１】
2006064752.tif 000002
【図２】
2006064752.tif 000003
【図３】
2006064752.tif 000004
【図４】
2006064752.tif 000005
【図５】
2006064752.tif 000006
【図６】
2006064752.tif 000007
【図７】
2006064752.tif 000008
【図８】
2006064752.tif 000009
【図９】
2006064752.tif 000010
【図１０】
2006064752.tif 000011
【図１１】
2006064752.tif 000012
【手続補正書】
【提出日】平成18年4月24日(2006.4.24)
【手続補正１】
【補正対象書類名】特許請求の範囲
【補正対象項目名】請求の範囲
【補正方法】変更
【補正の内容】
【書類名】請求の範囲
【請求項１】（補正後）複数の映像入力端子から映像信号が入力されるテレビジョン受像機であって、
前記映像信号が映像表示される視聴時間を前記複数の映像入力端子からの映像信号毎に計測する計測部と、
前記計測部から読取る前記複数の映像入力端子からの映像信号毎の前記視聴時間が前記映像信号毎に設定される予め記憶された視聴可能時間を経過すると前記映像信号の出力を停止する制御部とを備えた
テレビジョン受像機。
【請求項２】（削除）
【請求項３】前記制御部は、前記計測部で計測する前記視聴時間が前記視聴可能時間を経過すると、前記映像信号の出力を停止すると共に、前記視聴可能時間経過の警告を表示するための警告信号を出力することを特徴とする
請求項１に記載のテレビジョン受像機。
【請求項４】前記視聴可能時間を設定する設定部を備えたことを特徴とする
請求項１に記載のテレビジョン受像機。
【請求項５】前記設定部は、予め定めたパスワードの入力で設定変更を許可する認証を行うことを特徴とする
請求項４に記載のテレビジョン受像機。
【請求項６】（補正後）前記複数の映像入力端子からの映像信号は、ＲＦ端子経由でチューナ部から出力される映像信号と、外部入力端子から入力される映像信号であることを特徴とする
請求項１に記載のテレビジョン受像機。
【請求項７】（補正後）前記複数の映像入力端子からの映像信号は、ＲＦ端子経由で地上波放送用チューナ部から出力される映像信号と、ＢＳ放送用チューナ部から出力される映像信号であることを特徴とする
請求項１に記載のテレビジョン受像機。
【請求項８】（補正後）前記複数の映像入力端子からの映像信号は、ＲＦ端子経由でデジタル放送用チューナ部から出力される映像信号と、アナログ放送用チューナ部から出力される映像信号であることを特徴とする
請求項１に記載のテレビジョン受像機。
【請求項９】（補正後）前記制御部は、前記計測部が計測する前記映像信号毎の前記視聴時間の積算時間と前記視聴可能時間と比較して、前記積算時間が前記視聴可能時間を経過すると前記映像信号の出力を停止することを特徴とする
請求項１に記載のテレビジョン受像機。
【請求項１０】前記計測部は、前記映像信号が連続に映像表示される連続視聴時間を計測すると共に、前記映像信号の映像表示が中断される視聴中断時間も計測し、
前記制御部は、前記計測部が計測した前記視聴中断時間が所定の時間を越えた場合は前記連続視聴時間をリセットすることを特徴とする
請求項１に記載のテレビジョン受像機。
２１
【手続補正書】
【提出日】平成19年3月8日(2007.3.8)
【手続補正１】
【補正対象書類名】特許請求の範囲
【補正対象項目名】全文
【補正方法】変更
【補正の内容】
【特許請求の範囲】
【請求項１】
複数の映像入力端子から映像信号が入力されるテレビジョン受像機であって、
前記映像信号が映像表示される視聴時間を前記複数の映像入力端子からの映像信号毎に計測する計測部と、
前記計測部から読取る前記複数の映像入力端子からの映像信号毎の前記視聴時間が前記映像信号毎に設定される予め記憶された視聴可能時間を経過すると前記映像信号の出力を停止する制御部とを備えた
テレビジョン受像機。
【請求項２】
前記制御部は、前記計測部で計測する前記視聴時間が前記視聴可能時間を経過すると、前記映像信号の出力を停止すると共に、前記視聴可能時間経過の警告を表示するための警告信号を出力することを特徴とする
請求項１に記載のテレビジョン受像機。
【請求項３】
前記視聴可能時間を設定する設定部を備えたことを特徴とする
請求項１に記載のテレビジョン受像機。
【請求項４】
前記設定部は、予め定めたパスワードの入力で設定変更を許可する認証を行うことを特徴とする
請求項３に記載のテレビジョン受像機。
【請求項５】
前記複数の映像入力端子からの映像信号は、ＲＦ端子経由でチューナ部から出力される映像信号と、外部入力端子から入力される映像信号であることを特徴とする
請求項１に記載のテレビジョン受像機。
【請求項６】
前記複数の映像入力端子からの映像信号は、ＲＦ端子経由で地上波放送用チューナ部から出力される映像信号と、ＢＳ放送用チューナ部から出力される映像信号であることを特徴とする
請求項１に記載のテレビジョン受像機。
【請求項７】
前記複数の映像入力端子からの映像信号は、ＲＦ端子経由でデジタル放送用チューナ部から出力される映像信号と、アナログ放送用チューナ部から出力される映像信号であることを特徴とする
請求項１に記載のテレビジョン受像機。
【請求項８】
前記制御部は、前記計測部が計測する前記映像信号毎の前記視聴時間の積算時間と前記視聴可能時間と比較して、前記積算時間が前記視聴可能時間を経過すると前記映像信号の出力を停止することを特徴とする
請求項１に記載のテレビジョン受像機。
【請求項９】
前記計測部は、前記映像信号が連続に映像表示される連続視聴時間を計測すると共に、前記映像信号の映像表示が中断される視聴中断時間も計測し、
前記制御部は、前記計測部が計測した前記視聴中断時間が所定の時間を越えた場合は前記連続視聴時間をリセットすることを特徴とする
請求項１に記載のテレビジョン受像機。
【手続補正２】
【補正対象書類名】明細書
【補正対象項目名】全文
【補正方法】変更
【補正の内容】
【発明の詳細な説明】
【技術分野】
【０００１】
本発明はチューナからのテレビ放送の視聴に加えて、ゲーム機器やビデオレコーダ等の外部機器を接続することができるテレビジョン受像機に関し、チューナや外部入力端子から入力される映像の視聴時間を制限する機能を有するテレビジョン受像機に関する。
【背景技術】
【０００２】
テレビジョン受像機が映像入力端子から入力する映像と音声の映像信号は大きく２種類ある。１つはテレビ放送やケーブル放送からの放送信号をＲＦ端子から入力して内蔵チューナが出力する映像信号であり、もう１つはゲームやビデオ等の外部機器からの映像と音声を外部入力端子から入力する映像信号である。
【０００３】
従来のテレビジョン受像機は、子供達がゲーム機器で遊ぶときテレビの長時間視聴による視力低下の可能性を抑制するために、ゲーム機器が接続された外部入力端子から入力する映像の視聴時間を制御している。この技術内容は、特開平８−１５４２１９号公報に開示されている。また、ゲーム入力の視聴時間を制御したテレビジョン受像機及びゲーム機器及び記録媒体については、特開２０００−５４４８号公報に開示されている。
【０００４】
図１１は従来のテレビジョン受像機を示すものである。図１１において、ゲーム機器である外部機器１２１を外部入力端子９１８に接続したテレビジョン受像機９１０は、設定部９１１で時刻、１つの外部機器の視聴可能時間、暗証番号を設定し、記憶部９１２で時刻、１つの外部機器の視聴可能時間、暗証番号を記憶している。外部機器の使用が開始されてから計測部９１３で視聴時間を計測し、視聴可能時間を経過した場合に制御部９１４が表示部９１５を使用した視聴者への警告と、映像出力を停止する視聴制限を行っていた。
【０００５】
しかしながら、このような従来の構成では、１つの外部機器であるゲーム機器のみの視聴制限しか行っておらず、現在のように多数の外部機器を外部入力端子に接続したテレビジョン受像機を使用する場合、例えば、ゲーム機器、ビデオレコーダ及びＤＶＤレコーダが接続された場合、ゲーム機器の視聴時間制御は行われるが、ゲーム機以外の外部機器であるビデオレコーダやＤＶＤレコーダ、或いはチューナは視聴時間制御が行われておらず、テレビの長時間視聴を可能としていた。このため、ゲーム機器以外で子供達のテレビの視聴時間を低減することが出来ないという課題を有していた。
【発明の開示】
【０００６】
本発明は、従来の課題を解決するもので、複数の外部機器および内蔵チューナからの映像の視聴制限を行うことができるテレビジョン受像機を提供する。
【０００７】
本発明のテレビジョン受像機は、映像信号を入力する複数の映像入力端子と、複数の映像入力端子から入力される映像信号が映像表示される視聴時間を計測する計測部と、計測部から読取る視聴時間が予め記憶された視聴可能時間を経過すると映像入力端子から入力される映像信号の出力を停止する制御部とを有する。
【０００８】
本構成によって、テレビジョン受像機に接続された複数の外部機器及び内蔵チューナからの映像の各視聴時間が視聴可能時間を経過したとき各映像を停止することにより、映像毎に視聴時間を制御することが可能となる。
【０００９】
また、本発明のテレビジョン受像機は、予め定めたパスワードの入力で設定変更を許可する認証を行い、視聴可能時間を設定する設定部を有したものである。
【００１０】
本発明のテレビジョン受像機によれば、ゲーム機器、ビデオレコーダ及びＤＶＤレコーダなど複数の外部機器を外部入力端子に接続する場合において、１つの外部機器であるゲーム機器のみの視聴時間を制御するだけでなく、ビデオレコーダやＤＶＤレコーダ、及び、チューナなどからの複数の映像の視聴時間制御を行うことで、ゲーム機器以外の外部機器のテレビ視聴時間も制御することができる。これにより、子供達のテレビの視聴時間を低減することができる。
【発明を実施するための最良の形態】
【００１１】
以下、本発明を実施するための最良の形態について、図面を参照しながら説明する。
【００１２】
（実施の形態１）
図１は、本発明の実施の形態１におけるテレビジョン受像機のブロック図である。図１において、テレビジョン受像機１１０ａは、設定部１１１ａ、記憶部１１２ａ、計測部１１３ａ、制御部１１４ａ、表示部１１５、チューナ部１１６、外部入力端子１１７、１１８、１１９及びＲＦ端子１２０から構成されている。外部入力端子１１７、１１８、１１９にそれぞれ外部機器１２１、１２２、１２３を接続している。また、ＲＦ端子１２０にアンテナ１２４を接続している。
【００１３】
チューナ部１１６はテレビジョン受像機１１０ａに内蔵されており、テレビ放送やケーブル放送からの放送信号をアンテナからＲＦ信号として受け、制御部１１４ａに映像信号を出力している。
【００１４】
外部機器１２１、１２２、１２３は各ゲーム機器、ビデオレコーダ、ＤＶＤレコーダで、映像を出力する外部機器である。これら外部機器はテレビジョン受像機１１０ａの外部入力端子１１７、１１８、１１９に接続され、映像信号を制御部１１４ａに出力する。
【００１５】
図１において、設定部１１１ａはキー入力やリモコンキー入力により構成される。視聴者からのキー入力やリモコンキー入力による設定内容が入力される。これにより、各種時刻の設定、外部入力端子１１７，１１８，１１９及びＲＦ端子１２０から入力される映像の視聴時間を計測する期間（以下、「視聴時間計測期間」という。）の設定、複数の外部機器１２１、１２２、１２３及び内蔵チューナ部１１６からの映像の視聴可能時間の設定、視聴可能時間経過後の警告表示の設定がなされる。また、前述の設定の変更を可能にする暗証番号を設定し、記憶部１１２ａに記憶させることも可能である。
【００１６】
暗証番号は、各種時刻の設定や視聴可能時間の設定、変更及び解除を行う時に必要なものである。入力された暗証番号が記憶部１１２ａに記憶されている値と一致しない限り、それらの設定の変更及び解除はできない。これにより、子供等の視聴制限対象者は勝手に設定の変更及び解除をすることができない。暗証番号を設定した視聴制限設定者だけが設定の変更や解除をすることができる。
【００１７】
記憶部１１２ａは不揮発性メモリにより構成される。設定部１１１ａで設定された視聴時間計測期間、テレビジョン受像機１１０ａに入力される映像毎の視聴可能時間、視聴可能時間経過後の警告表示及び暗証番号などが、記憶部１１２ａに記憶される。更に、記憶部１１２ａで視聴可能時間を記憶する際、計測部１１３ａで計測する視聴時間と比較ができるようにタイマ単位、例えば、秒単位に視聴可能時間のデータが変換される。
【００１８】
計測部１１３ａは制御マイコンにより構成される。設定部１１１ａにおいて設定された時刻を基にして常に現在の時刻の計測がなされる。また、複数の外部機器１２１、１２２、１２３及びテレビジョン受像機１１０ａ内蔵のチューナ部１１６から映像信号が入力されて表示部１１５に映像を表示した視聴時間の計測がなされる。
【００１９】
制御部１１４ａは制御マイコンにより構成される。複数の外部機器１２１、１２２、１２３及び内蔵チューナ部１１６から出力される映像信号と音声信号が制御部１１４ａに入力される。制御部１１４ａは、設定部１１１ａに直接入力された視聴設定内容や記憶部１１２ａに予め記憶されている設定内容に基づいて、各映像の視聴時間を計測部１１３ａに計測させたり、映像出力の開始や停止を行うための制御をしたりする。
【００２０】
また、制御部１１４ａは、設定部１１１ａで選択された映像を表示部１１５に出力する制御を開始し、計測部１１３ａに視聴時間の計測開始の指示信号を出す。そして、計測部１１３ａが計測する映像入力端子の映像信号の視聴時間を読取り、その視聴時間を入力される映像入力端子の映像信号毎に記憶部１１２ａに記憶させる。さらに、制御部１１４ａは計測部１１３ａから読取る視聴時間と記憶部１１２ａに記憶している視聴可能時間とを常時比較して、視聴時間が視聴可能時間を経過しているか否かを確認する。視聴時間が視聴可能時間を経過するまでは選択された映像を表示部１１５に出力する。
【００２１】
その後、視聴時間計測期間中に視聴時間が視聴可能時間を経過した場合は、制御部１１４ａは記憶部１１３ａに記憶されている視聴可能時間経過後の警告内容を表示部１１５に表示し、表示部１１５への映像信号を停止して視聴制限を行う。
【００２２】
表示部１１５には、外部機器１２１、１２２、１２３或いはチューナ部１１６からの映像信号が制御部１１４ａ経由で入力される。そして、表示部１１５はこれら映像信号の映像を表示したり、視聴時間経過時に制御部１１４ａから出力される警告表示を表示したりする。
【００２３】
図２は、本発明の実施の形態１におけるテレビジョン受像機の視聴制限設定のフローチャートである。図２を用いて実施の形態１の視聴制限設定を説明する。
【００２４】
例えば、図１のように外部機器１２１、１２２、１２３としてゲーム機器、ビデオレコーダ、ＤＶＤレコーダが本発明のテレビジョン受像機に接続され、視聴制限設定者が視聴制限設定を開始すると想定する（Ｓ２００）。まず「暗証番号」入力を行い（Ｓ２１０）、暗証番号の認証が正しければ視聴制限設定を行うことができる（Ｓ２２０）。もし視聴制限設定者以外の人が視聴制限設定を行おうとして、間違った暗証番号を入力すると、暗証番号の認証（Ｓ２２０）から視聴制限設定終了（Ｓ２７０）に移行することになる。
【００２５】
次に、「視聴時間計測期間」の設定を０時から２４時迄の２４時間とする（Ｓ２３０）。外部機器１２１、１２２、１２３及びチューナ部１１６の「視聴可能時間」の設定においては、ゲーム機器である外部機器１２１を１時間とし（Ｓ２４１）、ビデオレコーダである外部機器１２２を１時間とし（Ｓ２４２）、ＤＶＤレコーダである外部機器１２３を２時間とし（Ｓ２４３）、チューナ部１１６を２時間とし（Ｓ２４４）、入力される映像全ての視聴可能時間を設定する。そして、視聴可能時間経過時の「警告表示」の設定で警告表示内容を「視聴可能時間が過ぎました。引続き視聴する場合は暗証番号を入力して下さい。」とし、警告表示から映像出力停止までの時間を５分と設定する（Ｓ２６１）。これらを設定することで、視聴制限設定終了となる（Ｓ２７０）。
【００２６】
図３は、本発明の実施の形態１におけるテレビジョン受像機の視聴時のフローチャートである。図３を用いて実施の形態１の視聴時の様子を説明する。
【００２７】
例えば、上記した図２のフローチャートの視聴制限設定がなされているとき、子供がゲーム機器である外部機器１２１を視聴開始すると想定する（Ｓ３００）。まず映像入力端子から入力される映像信号の選択において、ゲーム機器である外部機器１２１を選択する（Ｓ３１０）。すると、外部機器１２１の「視聴可能時間」の表示として、「外部機器１２１の視聴可能時間は１時間です」と表示部１１５に表示され（Ｓ３２１）、外部機器１２１の映像出力開始と視聴時間の計測開始が行われる（Ｓ３３１）。そして、制御部１１４ａは計測部１１３ａが計測する視聴時間と記憶部１１２ａに記憶されている視聴可能時間との比較を、視聴時間が視聴可能時間を経過するまで行う（Ｓ３４１）。
【００２８】
視聴時間計測期間内で外部機器１２１の視聴時間が視聴可能時間の１時間を経過すると、制御部１１４ａが視聴可能時間の経過の警告表示を行い（Ｓ３５１）、暗証番号の認証を行う（Ｓ３６０）。ここで、暗証番号が入力されない、或いは、暗証番号が正しくない場合、警告表示開始から５分間経過すると制御部１１４ａによる視聴制限映像出力停止を行い（Ｓ３７１）、入力される映像信号の変更による視聴の継続選択（Ｓ３８０）のステップに移る。視聴制限設定者が正しい暗証番号を入力した場合、視聴時間リセットの確認がなされる（Ｓ３７２）。そして、視聴時間をリセットした場合は、選択した映像の出力開始（Ｓ３３１）に戻る。視聴時間をリセットしない場合は、映像入力端子から入力される映像信号の変更による視聴の継続選択（Ｓ３８０）のステップに移る。
【００２９】
入力される映像信号の変更による視聴の継続選択（Ｓ３８０）のステップに移った場合、外部機器１２１からの映像出力を制御部１１４ａが停止させているので、視聴時間計測期間（２４時間）が経過するまで外部機器１２１の視聴はできなくなる。よって、映像信号の選択（Ｓ３１０）のステップに戻るか、あるいは、視聴終了（Ｓ３９０）のステップに移ることを選択することになる。
【００３０】
入力される映像信号の選択に戻った場合は、テレビジョン受像機に接続された他の映像信号、例えば、ビデオレコーダである外部機器１２２、ＤＶＤレコーダである外部機器１２３及び内蔵のチューナ１１６のいずれかからテレビジョン受像機１１０ａに入力される映像信号を選択する（Ｓ３１０）。そして、外部機器１２１のときと同様に、視聴時間が視聴可能時間を経過したとき、その選択された映像信号は制御部１１４ａにより停止され、視聴ができなくなる。
【００３１】
全ての映像信号の視聴時間が視聴可能時間を経過すると、制御部１１４ａが全ての映像信号を停止し、視聴終了となる（Ｓ３９０）。視聴時間計測期間の終了時間である２４時になると、入力される映像信号毎の視聴時間はリセットされ、再度視聴開始が行なえるようになる。
【００３２】
このような構成によれば、テレビジョン受像機に複数の外部機器が接続された場合において、１つの外部機器の視聴時間を制御するだけでなく、複数の映像入力端子から入力される映像信号毎に複数の視聴時間を制御し、子供達のテレビの視聴時間を低減することができる。
【００３３】
なお、本発明の実施形態において、制御部１１４と記憶部１１２を別構成要素にしたが、記憶部を制御部の一部としても良い。
【００３４】
なお、本発明の実施の形態１において、外部機器１２１、１２２、１２３をゲーム機器、ビデオレコーダ、ＤＶＤレコーダとしたが、全てゲーム機器としても良い。すなわち、本発明のテレビジョン受像機に接続される外部機器は、映像信号を出力する機器であれば良い。
【００３５】
また、本発明の実施の形態１において、映像信号が入力されて表示部に映像表示する視聴時間としたが、音声信号が入力される視聴時間としても良い。その場合、入力設定された音声信号の視聴時間を計測部１１３ａが計測し、視聴時間が視聴可能時間を経過すると制御部１１４ａが表示部への映像信号の出力を停止させる。
【００３６】
さらに、本発明の実施の形態１において、３つの外部機器と１つの内蔵チューナから出力される映像の視聴時間制御を行ったが、外部機器を１つ、２つ、或いは、４つ以上としても良い。また、内蔵チューナは図４のように地上放送用アンテナ１３２に接続された地上波アナログチューナ部１４１と地上波デジタルチューナ部１４２、ＢＳ放送用アンテナ１３３に接続されたＢＳアナログチューナ部１４３とＢＳデジタルチューナ部１４４など、複数のチューナとしても良い。つまり、１つ以上の外部機器と１つ以上の内蔵チューナからなる複数の映像機器から出力される映像の視聴時間制御としても良い。この場合、映像入力端子に接続された外部入力機器の映像信号を外部入力機器毎に視聴時間制御を行うことはもちろん、内蔵チューナが出力する映像信号にもチューナ毎に視聴時間制御を行うことができる。
【００３７】
なお、本発明の実施の形態１において、外部機器と内蔵チューナからなる複数機器からテレビジョン受像機１１０ａに入力される映像の視聴時間制御としたが、２つ以上の外部機器による視聴時間制御、或いは、２つ以上の内蔵チューナによる視聴時間制御としても良い。
【００３８】
また、本発明の実施の形態１において、視聴可能時間は設定部１１１ａで入力設定されるとしたが、最初から記憶部に入力設定されていても良い。例えば、ゲーム機器、ビデオレコーダの外部機器からの映像の視聴可能時間を１時間、ＤＶＤレコーダの外部機器からの映像の視聴可能時間を２時間、内蔵のチューナからの映像の視聴可能時間を４時間と各機器毎に初期設定しておく。
【００３９】
さらに、本発明の実施の形態１において、暗証番号の認証により視聴制限設定の変更を可能にするとしたが、複数のリモコンキーの同時押しによるパスワード信号、パスワードリモコンによる送信信号、パスワード鍵による施錠の開閉などのパスワードの入力による認証でも良い。
【００４０】
なお、本発明の実施の形態１において、警告表示をテレビジョン受像機の映像画面を兼用することとしたが、新たに警告表示を設けるとしても良い。
【００４１】
また、本発明の実施の形態１において、視聴時間が視聴可能時間を経過した後の制限として、映像出力を停止するとしたが、記憶部に予め記憶されたリラクゼーション映像と音楽を出力するようにしても良い。この場合、テレビ視聴を中止にして単に目を休めるだけでなく、テレビ画面を凝視していた目を徐々に和らげると共に、音楽により気持ちもリラックスさせる効果がある。
【００４２】
（実施の形態２）
実施の形態２では、テレビジョン受像機に多くの映像信号が外部入力端子に接続された場合、全ての映像の視聴時間を合計した総合視聴時間を制御することができるテレビジョン受像機の実施の形態について説明する。
【００４３】
本発明の実施の形態２におけるテレビジョン受像機のブロック図を図５に示す。図５において、テレビジョン受像機１１０ｂは、設定部１１１ｂ、記憶部１１２ｂ、計測部１１３ｂ、制御部１１４ｂ、表示部１１５、チューナ部１１６、外部入力端子１１７、１１８、１１９及びＲＦ端子１２０から構成されている。外部入力端子１１７、１１８、１１９にそれぞれ外部機器１２１、１２２、１２３を接続している。また、ＲＦ端子１２０にアンテナ１２４を接続している。
【００４４】
図５のテレビジョン受像機１１０ｂにおいて、図１のテレビジョン受像機１１０ａの構成要素に対して機能が追加された構成要素は符号の数字を同じとし、数字の後のアルファベットをａからｂに変更している。テレビジョン受像機１１０ｂの構成要素に追加された機能について説明する。追加機能以外は実施の形態１の構成要素と同じであるので、説明は省略する。
【００４５】
図５において、設定部１１１ｂには、総合視聴可能時間の設定入力のステップが付加されている。記憶部１１２ｂには、設定部１１１ｂで入力される総合視聴可能時間が記憶される。計測部１１３ｂは、入力される全ての映像の総合視聴時間を計測する。制御部１１４ｂは記憶部１１２ｂに記憶されている総合視聴可能時間と計測部１１３ｂで計測される総合視聴時間とを比較し、総合視聴時間が総合視聴可能時間を経過したとき、表示部１１５に総合視聴可能時間の経過の警告表示を行う。
【００４６】
図６は、本発明の実施の形態２におけるテレビジョン受像機の視聴制限設定のフローチャートである。図６を用いて実施の形態２の視聴制限設定を説明する。
【００４７】
例えば、図５のように外部機器１２１、１２２、１２３としてゲーム機器、ビデオレコーダ、ＤＶＤレコーダが本発明のテレビジョン受像機に接続されて、視聴制限設定者が視聴制限設定を開始すると想定する（Ｓ２００）。まず「暗証番号」入力を行い（Ｓ２１０）、暗証番号の認証が正しければ視聴制限設定を行うことができる（Ｓ２２０）。もし視聴制限設定者以外の人が視聴制限設定を行おうとして、間違った暗証番号を入力すると、暗証番号の認証（Ｓ２２０）から視聴制限設定終了（Ｓ２７０）に移行することになる。
【００４８】
次に、「視聴時間計測期間」の設定を０時から２４時迄の２４時間とする（Ｓ２３０）。外部機器１２１、１２２、１２３及びチューナ部１１６の「視聴可能時間」の設定においては、ゲーム機器である外部機器１２１を１時間とし（Ｓ２４１）、ビデオレコーダである外部機器１２２を１時間とし（Ｓ２４２）、ＤＶＤレコーダである外部機器１２３を２時間とし（Ｓ２４３）、チューナ部１１６を２時間とし（Ｓ２４４）、映像入力端子から入力される映像全ての視聴可能時間を設定する。また、外部機器１２１、１２２、１２３とチューナ部１１６からテレビジョン受像機１１０ｂへ入力される全ての映像に対して、総合視聴可能時間を４時間と設定する（Ｓ２５２）。そして、視聴可能時間、及び総合視聴時間経過時の「警告表示」の設定で警告表示内容を「視聴可能時間が過ぎました。引続き視聴する場合は暗証番号を入力して下さい。」、及び「総合視聴可能時間が過ぎました。引続き視聴する場合は暗証番号を入力して下さい。」とし、警告表示から映像出力停止までの時間を５分と設定する（Ｓ２６２）。これらを設定することで、視聴制限設定終了となる（Ｓ２７０）。
【００４９】
図７は、本発明の実施の形態２におけるテレビジョン受像機の視聴時のフローチャートである。図７を用いて実施の形態２の視聴時の様子を説明する。
【００５０】
例えば、上記した図６のフローチャートの視聴制限設定がなされているとき、子供がゲーム機器である外部機器１２１を視聴開始すると想定する（Ｓ３００）。まず映像入力端子から入力される映像信号の選択において、ゲーム機器である外部機器１２１を選択する（Ｓ３１０）。すると、外部機器１２１の「視聴可能時間」、「総合視聴可能時間」の表示として「外部機器１２１の視聴可能時間は１時間です」、「総合視聴可能時間は４時間です」と表示部１１５に表示され（Ｓ３２２）、外部機器１２１の映像出力開始と視聴時間及び総合視聴時間の計測開始が行われる（Ｓ３３２）。そして、制御部１１４ｂは計測部１１３ｂが計測する視聴時間及び総合視聴時間と記憶部１１２ｂに記憶されている視聴可能時間及び総合視聴可能時間との比較を、視聴時間が視聴可能時間を経過する（Ｓ３４１）、或いは、総合視聴時間が総合視聴可能時間を経過するまで行う（Ｓ３４２）。
【００５１】
視聴時間計測期間内で外部機器１２１の視聴時間が視聴可能時間の１時間を経過すると、制御部１１４ｂが視聴可能時間の経過の警告表示を行い（Ｓ３５１）、暗証番号の認証を行う（Ｓ３６０）。
【００５２】
ここで、暗証番号が入力されない、或いは、暗証番号が正しくない場合、警告表示開始から５分間経過すると制御部１１４ｂによる視聴制限映像出力停止を行い（Ｓ３７１）、入力される映像信号の変更による視聴の継続選択（Ｓ３８０）のステップに移る。視聴制限設定者が正しい暗証番号を入力した場合、視聴時間リセットの確認がなされる（Ｓ３７２）。そして、視聴時間をリセットした場合は、選択した映像信号の出力開始（Ｓ３３２）に戻る。視聴時間をリセットしない場合は、外部入力端子から入力される映像信号の変更による視聴の継続選択（Ｓ３８０）のステップに移る。
【００５３】
入力される映像信号の変更による視聴の継続選択（Ｓ３８０）のステップに移った場合、外部機器１２１からの映像出力を制御部１１４ｂが停止させているので、視聴時間計測期間（２４時間）が経過するまで外部機器１２１の視聴はできなくなる。よって、入力される映像信号の選択（Ｓ３１０）のステップに戻るか、あるいは、視聴終了（Ｓ３９０）のステップに移ることを選択することになる。
【００５４】
入力される映像信号の選択に戻った場合は、テレビジョン受像機に接続された他の映像信号、例えば、ビデオレコーダである外部機器１２２、ＤＶＤレコーダである外部機器１２３及び内蔵のチューナ１１６のいずれかからテレビジョン受像機１１０ｂに入力される映像信号を選択する（Ｓ３１０）。そして、外部機器１２１のときと同様に、視聴時間が視聴可能時間を経過したとき、その選択された映像信号は制御部１１４ｂにより停止され、視聴ができなくなる。
【００５５】
さらに、複数の入力される映像を視聴して、総合視聴時間が総合視聴可能時間を経過すると（Ｓ３４２）、総合視聴可能時間の経過の警告表示で「総合視聴可能時間が過ぎました。引続き視聴する場合は暗証番号を入力して下さい。」と表示を行う（Ｓ３５２）。この場合、入力される全ての映像出力を制御部１１４ｂが停止させて（Ｓ３７２）、視聴時間計測期間（２４時間）が経過するまで入力される全ての映像の視聴はできなくなる（Ｓ３９０）。
【００５６】
このような構成によれば、１つの外部機器の視聴時間を制御するだけでなく、映像入力端子から入力される映像信号毎に視聴時間を制御し、更に、全ての入力される映像信号の総合視聴時間を制御し、子供達のテレビの視聴時間を低減することができる。
【００５７】
なお、本発明の実施の形態２において、総合視聴時間を計測部１１３ｂが計測するとしたが、計測部が計測した入力される各映像信号の視聴時間を制御部１１４ｂが積算するとしても良い。その場合、計測部１１３ｂは入力される映像信号毎に視聴時間を計測し、制御部１１４ｂが計測部１１３ｂから視聴時間を読取り、記憶部１１２ｂに入力される映像信号毎に視聴時間を記憶させる。そして、制御部１１４ｂは記憶部に記憶された入力される映像信号毎の視聴時間を総合視聴時間に積算し、総合視聴時間が記憶部１１２ｂに予め記憶されている総合視聴可能時間を経過しているかを確認する。そして、総合視聴時間が総合視聴可能時間を経過したとき、映像入力端子から入力される全ての映像信号を停止させる。
【００５８】
（実施の形態３）
子供達がテレビの視聴で視力を低下する理由の一つとして、連続してテレビを見続けることがあげられる。そこで、実施の形態３では、連続してテレビを視聴し続ける連続視聴時間を制御することができるテレビジョン受像機の実施の形態について説明する。
【００５９】
本発明の実施の形態３におけるテレビジョン受像機のブロック図を図８に示す。図８において、テレビジョン受像機１１０ｃは、設定部１１１ｃ、記憶部１１２ｃ、計測部１１３ｃ、制御部１１４ｃ、表示部１１５、チューナ部１１６、外部入力端子１１７、１１８、１１９及びＲＦ端子１２０から構成される。外部入力端子１１７、１１８、１１９に外部機器１２１、１２２、１２３を接続している。また、ＲＦ端子１２０にアンテナ１２４を接続している。
【００６０】
図８のテレビジョン受像機１１０ｃにおいて、図１のテレビジョン受像機１１０ａの構成要素に対して機能が追加された構成要素は符号の数字を同じとし、数字の後のアルファベットをａからｃに変更している。テレビジョン受像機１１０ｃの構成要素に追加された機能について説明する。追加機能以外は実施の形態１の構成要素と同じであるため説明は省略する。
【００６１】
図８において、設定部１１１ｃは、入力された映像を連続的に視聴できる連続視聴可能時間と入力された映像信号を中断する視聴中断時間の設定入力のステップが付加されている。記憶部１１２ｃには、設定部１１１ｃで設定される連続視聴可能時間と視聴中断時間が記憶される。計測部１１３ｃは、入力される全ての映像の連続視聴時間と視聴中断時間を計測する。制御部１１４ｃは記憶部１１２ｃに記憶されている連続視聴可能時間と計測部１１３ｃで計測される連続視聴時間とを比較し、連続視聴時間が連続視聴可能時間を経過したとき、表示部１１５に連続視聴可能時間の経過の警告表示を行う。そして、視聴中断した視聴制御から視聴中断時間経過後に視聴再開する。
【００６２】
図９は、本発明の実施の形態３におけるテレビジョン受像機の視聴制限設定のフローチャートである。図９を用いて実施の形態３の視聴制限設定を説明する。
【００６３】
例えば、図８のように外部機器１２１、１２２、１２３としてゲーム機器、ビデオレコーダ、ＤＶＤレコーダが本発明のテレビジョン受像機に接続されて、視聴制限設定者が視聴制限設定開始すると想定する（Ｓ２００）。まず「暗証番号」入力を行い（Ｓ２１０）、暗証番号の認証が正しければ視聴制限設定を行うことができる（Ｓ２２０）。もし視聴制限設定者以外の人が視聴制限設定を行おうとして、間違った暗証番号を入力すると、暗証番号の認証（Ｓ２２０）から視聴制限設定終了（Ｓ２７０）に移行することになる。
【００６４】
次に、「視聴時間計測期間」の設定を０時から２４時迄の２４時間とし（Ｓ２３０）、外部機器１２１、１２２、１２３及びチューナ部１１６の「視聴可能時間」の設定においては、ゲーム機器である外部機器１２１を１時間とし（Ｓ２４１）、ビデオレコーダである外部機器１２２を１時間とし（Ｓ２４２）、ＤＶＤレコーダである外部機器１２３を２時間とし（Ｓ２４３）、チューナ部１１６を２時間とし（Ｓ２４４）、入力される映像全ての視聴可能時間を設定する。また、外部機器１２１、１２２、１２３とチューナ部１１６から入力される全ての映像に対して、連続して視聴できる連続視聴可能時間を３０分と設定し、連続視聴時間が経過後の視聴中断時間を１０分と設定する（Ｓ２５３）。そして、視聴可能時間、及び連続視聴可能時間経過時の「警告表示」の設定で警告表示内容を「視聴可能時間が過ぎました。引続き視聴する場合は暗証番号を入力して下さい。」、及び「連続視聴可能時間が過ぎました。引続き視聴する場合は暗証番号を入力して下さい。」とし、警告表示から映像出力停止までの時間を５分と設定する（Ｓ２６３）。これらを設定することで、視聴制限設定終了となる（Ｓ２７０）。
【００６５】
本発明の実施の形態３におけるテレビジョン受像機の視聴時の様子は、本発明の実施の形態１のフローチャートである図３の選択した映像信号の出力開始ステップ（Ｓ３３１）と視聴可能時間との比較ステップ（Ｓ３４１）との間に連続視聴時間の制御が加わったものなので、実施の形態１と同じ部分については説明を省略する。実施の形態３におけるテレビジョン受像機の視聴時のフローチャートは、実施の形態１のフローチャートである図３に、連続視聴時間制御を示すフローチャートである図１０が加わったフローチャートになる。
【００６６】
以下、図３と図１０を用いて実施の形態３の視聴時の様子を説明する。
【００６７】
例えば、上記した図９のフローチャートの視聴制限設定がなされているとき、子供がゲーム機器である外部機器１２１を視聴開始すると想定する（Ｓ３００）。まず映像入力端子から入力される映像信号の選択において、ゲーム機器である外部機器１２１を選択する（Ｓ３１０）。すると、外部機器１２１の「視聴可能時間」、「連続視聴可能時間」の表示として「外部機器１２１の視聴可能時間は１時間です」、「連続視聴可能時間は３０分です」と表示部１１５に表示され（Ｓ３２１）、外部機器１２１の映像出力開始と視聴時間及び連続視聴時間の計測開始が行われる（図１０のＳ３３１）。そして、制御部１１４ｃは計測部１１３ｃが計測する連続視聴時間と記憶部１１２ｃに記憶されている連続視聴可能時間との比較を行う（Ｓ４１０）。連続視聴時間が連続視聴可能時間を経過していない場合は、さらに制御部１１４ｃは計測部１１３ｃが計測する視聴時間と記憶部１１２ｃに記憶されている視聴可能時間との比較を行う（Ｓ３４１）。そして、視聴時間が視聴可能時間を経過していないときは、連続視聴時間との比較ステップ（Ｓ４１０）に戻る。連続視聴時間が連続視聴可能時間を経過する、或いは、視聴時間が視聴可能時間を経過するまで視聴可能時間との比較（Ｓ４１０、Ｓ３４１）が繰り返される。
【００６８】
連続視聴時間が連続視聴可能時間の３０分を経過すると、連続視聴可能時間との比較ステップ（Ｓ４１０）から連続視聴時間の制御に移行する。まず、制御部１１４ｃが連続視聴可能時間経過の警告表示を行い（Ｓ４２０）、暗証番号の認証を行う（Ｓ４３０）。ここで、暗証番号が入力されない、或いは、暗証番号が正しくない場合、警告表示開始から５分間経過すると制御部１１４ｃによる映像出力中断の開始を行う（Ｓ４５０）。視聴制限設定者が正しい暗証番号を入力した場合、連続視聴時間のリセットの確認がなされる（Ｓ４４２）。そして、連続視聴時間をリセットした場合は、選択した映像の出力開始（Ｓ３３１）に戻る。連続視聴時間をリセットしない場合は、映像出力中断の開始ステップ（Ｓ４５０）に移行する。
【００６９】
映像出力中断が開始されると（Ｓ４５０）、外部機器１２１からの映像出力を制御部１１４ｃが停止させているので、視聴中断時間の１０分が経過するまで外部機器１２１の視聴はできなくなる。視聴中断時間の１０分が経過すると視聴中断時間経過の表示がなされる（Ｓ４６０）。
【００７０】
視聴中断時間経過の表示ステップ（Ｓ４６０）から選択した映像出力開始ステップ（Ｓ３３１）に戻った後は、連続視聴時間が連続視聴可能時間の３０分を経過した場合、連続視聴可能時間経過の警告表示（Ｓ４２０）から視聴中断時間経過の表示（Ｓ４６０）までのフローを繰り返す。
【００７１】
外部機器１２１の視聴時間が視聴可能時間の１時間を経過した場合は、図３の視聴可能時間の経過の警告表示ステップ（Ｓ３５１）に移る。そして、制御部１１４ｃが視聴可能時間経過の警告表示を行い（Ｓ３５１）、暗証番号の認証を行う（Ｓ３６０）。
【００７２】
ここで、暗証番号が入力されない、或いは、暗証番号が正しくない場合、制御部１１４ｃは映像出力を停止し、視聴制限を行い（Ｓ３７１）、入力される映像信号の変更による視聴の継続選択（Ｓ３８０）のステップに移る。視聴制限設定者が正しい暗証番号を入力した場合、総合視聴時間リセットの確認がなされる（Ｓ３７２）。そして、視聴時間をリセットした場合は、選択した映像の出力開始（Ｓ３３１）に戻る。視聴時間をリセットしない場合は、入力される映像信号の変更による視聴の継続選択（Ｓ３８０）のステップに移る。
【００７３】
入力される映像信号の変更による視聴の継続選択（Ｓ３８０）のステップに移った場合、外部機器１２１からの映像出力を制御部１１４ｃが停止させているので、視聴時間計測期間（２４時間）が経過するまで外部機器１２１の視聴はできなくなる。よって、入力される映像信号の選択（Ｓ３１０）のステップに戻るか、あるいは、視聴終了（Ｓ３９０）に行くことを選択することになる。
【００７４】
入力される映像信号の選択ステップ（Ｓ３１０）に戻った場合は、テレビジョン受像機に接続された他の映像信号、例えば、ビデオレコーダである外部機器１２２、ＤＶＤレコーダである外部機器１２３及び内蔵のチューナ１１６のいずれかから出力される映像信号を選択する（Ｓ３１０）。そして、外部機器１２１のときと同様に、視聴時間が視聴可能時間を経過したとき、或いは、連続視聴時間が連続視聴可能時間を経過したとき、その映像信号は制御部１１４ｃにより停止し、視聴ができなくなる。
【００７５】
そして、全ての入力される映像信号の視聴時間が視聴可能時間を経過すると、制御部１１４ｃが全ての入力される映像信号を停止し、視聴終了となる（Ｓ３９０）。視聴時間計測期間の終了時間である２４時を経過すると、入力される映像信号毎の視聴時間はリセットされ、視聴開始を行うことが可能になる。
【００７６】
このような構成によれば、外部機器の視聴時間を制御するだけでなく、継続的な連続視聴時間を制御し、子供達のテレビの連続視聴時間を低減することができる。
【００７７】
なお、本発明の実施の形態３におけるテレビジョン受像機の視聴時のフローチャートは、実施の形態１のフローチャートである図３に連続視聴時間制御を示すフローチャートである図１０が加わったフローチャートであるが、本発明の実施の形態２のフローチャートである図７に連続視聴時間の制御である図１０を加えたものであるとしても良い。この場合、映像入力端子から入力される映像信号毎の視聴時間制御と、入力される全ての映像信号の総合視聴時間制御と、連続視聴時間制御の３種類の視聴時間の制御を行うこととなる。
【産業上の利用可能性】
【００７８】
本発明にかかるテレビジョン受像機は、ゲーム機器、ビデオレコーダ及びＤＶＤレコーダなど複数の外部機器を外部入力端子に接続する場合において、ゲーム機器の視聴時間を制御するだけでなく、ビデオレコーダやＤＶＤレコーダ、或いはチューナからの視聴時間制御も行う。よって、子供達が複数の映像の切替えによって引続きテレビを視聴することを抑制することができ、子供達のテレビの視聴時間を低減することが可能になるので、視聴時間を制限するテレビジョン受像機等において有用である。
【図面の簡単な説明】
【００７９】
【図１】本発明の実施の形態１に係るテレビジョン受像機の構成を示すブロック図
【図２】本発明の実施の形態１に係るテレビジョン受像機の視聴制限設定のフローチャート
【図３】本発明の実施の形態１に係るテレビジョン受像機の視聴時のフローチャート
【図４】本発明の実施の形態１に係るテレビジョン受像機の構成を示す別のブロック図
【図５】本発明の実施の形態２に係るテレビジョン受像機の構成を示すブロック図
【図６】本発明の実施の形態２に係るテレビジョン受像機の視聴制限設定のフローチャート
【図７】本発明の実施の形態２に係るテレビジョン受像機の視聴時のフローチャート
【図８】本発明の実施の形態３に係るテレビジョン受像機の構成を示すブロック図
【図９】本発明の実施の形態３に係るテレビジョン受像機の視聴制限設定のフローチャート
【図１０】本発明の実施の形態３に係るテレビジョン受像機の視聴時のフローチャート
【図１１】従来技術のテレビジョン受像機の構成を示すブロック図
【符号の説明】
【００８０】
１１０ａ，１１０ｂ，１１０ｃ    テレビジョン受像機
１１１ａ，１１１ｂ，１１１ｃ    設定部
１１２ａ，１１２ｂ，１１２ｃ    記憶部
１１３ａ，１１３ｂ，１１３ｃ    計測部
１１４ａ，１１４ｂ，１１４ｃ    制御部
１１５    表示部
１１６    チューナ部
１１７，１１８，１１９    外部入力端子
１２０，１３０，１３１    ＲＦ端子
１２１    外部機器（ゲーム）
１２２    外部機器（ビデオ）
１２３    外部機器（ＤＶＤ）
１２４    アンテナ
１３２    地上放送用アンテナ
１３３    ＢＳ放送用アンテナ
１４１    地上波アナログチューナ部
１４２    地上波デジタルチューナ部
１４３    ＢＳアナログチューナ部
１４４    ＢＳデジタルチューナ部
【手続補正３】
【補正対象書類名】図面
【補正対象項目名】全図
【補正方法】変更
【補正の内容】
【図１】
2006064752.tif 000013
【図２】
2006064752.tif 000014
【図３】
2006064752.tif 000015
【図４】
2006064752.tif 000016
【図５】
2006064752.tif 000017
【図６】
2006064752.tif 000018
【図７】
2006064752.tif 000019
【図８】
2006064752.tif 000020
【図９】
2006064752.tif 000021
【図１０】
2006064752.tif 000022
【図１１】
2006064752.tif 000023
【国際調査報告】
2006064752.tif 000024
2006064752.tif 000025
2006064752.tif 000026
2006064752.tif 000027
2006064752.tif 000028
2006064752.tif 000029
2006064752.tif 000030
2006064752.tif 000031